(57)【要約】      （修正有）【課題】家庭における調理場の清潔感の向上となおかつせまい調理場スペースを有効に使用するために役立つ水切りゴミ袋と生ゴミ収納器を提供する。【解決手段】調理場の水切りゴミ袋を備える事ができる生ゴミ収納器において、水切りゴミ袋を入れる生ゴミ収納器の開口部をカバーできるほどの大きさを有し、撥水性を高める加工を施し生ゴミ収納器に溜まった生ゴミを隠すカバーとして、またカバーされた生ゴミの上を汚れた調理具の仮置きや汚れた調理具の簡単な洗浄の場所に利用する目的とした仮設スペース形成部材シート３Ｃを有し、さらに仮設スペース成形部材シートの上に仮置きされた汚れた調理具の落下防止ガイドを目的とした生ゴミ収納器本体に後付できる調理具ホルダーまたはガイドを有する事を特徴とする。【選択図】図１
0003182873.tif 000002
【実用新案登録請求の範囲】
【請求項１】
調理場の水切りゴミ袋と生ゴミ収納器において、水切りゴミ袋を入れる生ゴミ収納器の開口部をカバーできるほどの大きさの水切りシート面（図１―３Ｃ）に、撥水性を高める加工を施し生ゴミ収納器に溜まった生ゴミを隠すカバーとして、またカバーされた上を汚れた調理具の仮置きや汚れた調理具の簡単な洗浄等に利用する目的としたスペース形成部材面を有する水切りゴミ袋と生ゴミ収納器。
（スペース形成部材面＝生ゴミのカバー兼汚れた調理具の洗い場となる水切りシート面）
【請求項２】
請求項１のスペース形成部材面において、スペース形成部材面を水切りゴミ袋の片側に接合（図１）し、前記接合部付近（図１）にズレ止め防止器具図（４―２Ｂ又は、図５―Ｆ１付近＝２Ｂの器具）に接続するための複数の穴（図１―３Ａ）と、その穴の付近に横方向の切れ込み、その横方向の両端部に縦方向の切れ込み（図１―Ｄ点線）が入っている、あるいはその横線と縦線で描かれた四角形の面部分を空洞化した特徴を有する水切りゴミ袋と生ゴミ収納器。
【請求項３】
請求項１のスペース形成部材面を有する水切りゴミ袋と生ゴミ収納器において、スペース
成形部材面の上に仮置きされた汚れた調理具の落下防止策として市販されている生ゴミ収納器本体に後付できる回転式（非回転式を含む）調理具ホルダー（図５）を有する水切りゴミ袋と生ゴミ収納器。（図７）
【請求項４】
請求項２のスペース成形部材面を接合した水切り袋において、生ゴミに敷くために接合されている面は基本的には一枚のものだが（図６−Ｅ）のように、複数枚重ねた特徴を有する水切りゴミ袋と生ゴミ収納器
【請求項５】
請求項１のスペース形成部材面において、撥水加工を軸としているが撥水加工以外にも、水切りゴミ収納器に調理具を仮置きの際に調理具についている汚れを洗い流したりするためにカバー面に穴をあけたり、抗菌処理をほどこしたり、堆肥化の促進素材やエネルギー変換促進素材を用いるなどを可能としたスペース形成部材面を有する水切りゴミ袋と生ゴミ収納器。
【考案の詳細な説明】
【技術分野】
【０００１】
本発明は各家庭における調理場で、主に使用される生ゴミ収納器内に用いる水切りゴミ袋と収納器に関するものである。
【背景技術】
【０００２】
先行技術調査を行った結果、特開平０９−００２６０２、特開２００５−２１３０２３、特開平１０−０３５８０３、実開昭５８−１８７５０３、いずれも参考との結果であった。従来、生ゴミ収納器に溜まったゴミの上を有効利用する様な水切りゴミ袋は、特許庁の電子図書館から参照しても意外にもなかったと思われる。
【先行技術文献】
【特許文献】
【０００３】
【特許文献１】特開平９−００２６０２号、１０−０３５８０３、特開２００５−２１３０２３実開昭５８−１８７５０７
【非特許文献】
【０００４】
なし
【考案の概要】
【考案が解決しようとする課題】
【０００５】
本発明の目的は、家庭における調理場の清潔感の向上となおかつせまい調理場スペースを有効に使用するために役立つ水切りゴミ袋と生ゴミ収納器を提供する事である。
【課題を解決するための手段】
【０００６】
本発明は、各家庭における調理場に使用される生ゴミ収納器の設置に損失しているスペースを水切りゴミ袋の片側の面に特殊加工を施した水切りシートを接合し（即ちカバー兼調理具の置き場となる面）を折り返して土台がわりに生ゴミの入った収納器内部（上部）の有効利用できるスペースを形成するものである。
【考案の効果】
【０００７】
以外にも調理中に油や調理汁などがついた調理具を置く場所にとまどう事が少なくなかったかと思われる問題点の解決。
限られた調理場（流し）スペースの中で生ゴミ収納器に１０％〜２０％損失していた面積を回収し、生ゴミの多く出る人数の多い家庭などでは、大型の収納器を使う事も可能になる。
更に生ゴミ収納器内の生ゴミを外から見づらく清潔感の向上、また生ゴミを資源としての認識を促しエコ社会への貢献につながる可能性を多分に秘めている事。
【図面の簡単な説明】
【０００８】
【図１】請求項１に記載の形成部材面と水切り袋の総体図
【図２】生ゴミ収納器に袋をセットした正面図
【図３】ズレ止め防止器具に袋をセットした側面図
【図４】水切りゴミ袋用ズレ止め防止器具の形状をあらわしたもの
【図５】ズレ止め防止器具に仮設スペース形成器具部を複合した多目的固定装置（ズレ止め防止器具を軸に回転スライドし複数のガイド等が選べる。）
【図６】水切りゴミ袋のカバー部を複数に重ねた側面図
【図７】多目的固定装置のガイド部をセットアップした側面図
【考案を実施するための形態】
【０００９】
以下本発明について詳細を説明する。
本発明は一般的に使用されている水切りゴミ袋をベースに改良を加えたものと、生ゴミ収納器本体に取り付けるズレ止め防止器具と仮設スペース形成器具を一体させた固定用装置、又は製造加工時に水切りゴミ収納器に固定装置及び、調理具ホルダー等が取り付けられたものとから構成されている。
【００１０】
水切りゴミ袋はポリエスチル、紙パルプフィルター、塩化ビニールなど多数の材質で造られており、この発明において材質には限定はない事とする。
【００１１】
本発明、調理場を広く使える水切りゴミ袋及び生ゴミ収納器は、今まで使用されてきた水切りゴミ袋の対称に合わせた面の片側に、目的にあわせた加工を施した水切りシートを形成部材として水切りゴミ袋に接合したものを用いる。また、生ゴミ収納器本体に取り付けた固定装置（ズレ止め防止器具図２−２又は図５−２）とは、袋の素材がとても柔らかいものが多いことから必要になるものである。
【００１２】
水切りゴミ袋の長く延長されている形成部材（即ちカバー兼用の調理具置き場となる面）の折り返す部分を固定することによって、カバー作業を保護し利便性を向上させるものである。
【００１３】
さらにカバーされた生ゴミ収納器の上部を、調理中の油や食材汁などがついたサエバシ、包丁などの調理具を仮置するなどのスペースとして有効利用できるものにかえてしまうものである。
【００１４】
また、生ゴミ収納器に調理具を仮置きの際に調理具についている汚れを洗い流したりするためにカバー面に穴をあけたり、抗菌処理をほどこしたり、堆肥化を促進したり、エネルギー変換を促進できる加工面など必要に応じたものに合わせられるようカバーの表面加工はいろいろな処理によって必要性を高められる水切りゴミ袋である。
【００１５】
また、（図６のＥ）のようにカバー面を複数重ねて調理段階でゴミが出たらそのつど新しい面を供給する構造も選べるとする。
【００１６】
次に水切りゴミ袋を生ゴミ収納器に入れ、溜まった生ゴミにカバーをする際、折り目の部分を固定するためのズレ止め防止器具について説明する。このズレ止め防止器具（図４−２又は図５）を各家庭で現在使用しているもの、また市販されている生ゴミ収納器にワンタッチ、又は簡単に取り付けられる方法を用いて、生ゴミ収納器本体上部に取り付ける（図２−２参照）
【００１７】
ズレ止め器具（図４−２Ｂ）部は、水切りゴミ袋の固定用の穴に合わせ入れ込まれる部分であるが、固定方法の詳細として水切りゴミ袋（図１−３Ａ）の固定用の穴の径よりも、ズレ止め防止器具の突起部の最大径が大きいものとして、突起部形状、寸法など限定のないものである。
【００１８】
それから、この水切りゴミ袋用ズレ止め器具及び調理具の落下防止器具や調理具ホルダーが、生ゴミ収納器本体の製造加工段階で取り付けられた製品に関しても発明の一部とする。
【００１９】
以上の様な方法と形状をしている水切りゴミ袋の使用手順に入る。
【００２０】
本発明の使用手順として、まず使用される生ゴミ収納器本体へ水切りゴミ袋用ズレ止め器具（図４−２又は図５）を付ける。
そして従来の水切りゴミ袋同様に広げて生ゴミ収納器の中に入れる。
水切りゴミ袋の折り返す部分付近にあけてある穴（図１−３Ａの中で（高さ、深さ）寸法の合う穴を選び、ズレ止め器具の突起部分に合わせ込む。（図２−２参照）
仮設スペース形成部となる面は、生ゴミ収納器の上部で折り返し下に垂らし｛垂らした下はデザイン等から特定は出来ないが今回のズレ止め器具を流用するなどして簡単に固定した方が好ましいと思われる。又、生ゴミ収納器本体に溝を入れて垂らした水ゴミ袋の下部を入れ込むなどいろいろな方法が想定できる。｝
【００２１】
多目的固定装置を（図５）を使用する場合、袋を入れる前に使用するガイド等を予めセットアップしておき袋をセットするもので、形成部材面にガイド部のにがし穴が必要とされる。
【００２２】
この多目的固定装置は（図４−２）を軸にリング外周部に複数の調理具ホルダーや落下防止ガイド等を取り付けスライド機構から都度選び、生ゴミの上を利用するための形成器具としたものであり、袋の固定と併用できるものである。
【００２３】
ズレ止め防止器具（図４−２）を使用する場合は、請求項５によって有効利用スペースが形成されるため、生ゴミ収納器本体上部に落下防止や調理具ホルダーの目的とした加工の施された、収納器を用いなくてはならないものである。
【００２４】
寸法の短い面は従来どうり生ゴミ収納器上部にくくりつけ準備が完了となる。生ゴミが溜まったらカバーをめくり上げ生ゴミの上にかける。
かけた後はその上部スペースに汚れた調理具などの置き場として、またその上で洗浄できるカバー面などにしたりすることで利用目的が増えるとも思われる。
【産業上の利用可能性】
【００２５】
水切りゴミ袋としての利用効果が従来よりも２項目向上した点に、注目したいと思う。
【００２６】
以外にも調理中に油や調理汁などがついた調理具を置く場所にとまどう事が少なくなかったかと思われる問題点の解決。
限られた調理場（流し）スペースの中で生ゴミ収納器に１０％〜２０％損失していた面積を回収し、生ゴミの多く出る人数の多い家庭などでは、大型の生ゴミ収納器を使う事も可能になる。
更に収納器の生ゴミが外から見えづらく清潔感の向上、また生ゴミを資源としての認識を促しエコ社会への貢献につながる可能性を多分に秘めている事。
【符号の説明】
【００２７】
１
生ゴミ収納器本体
２
水切りゴミ袋用ズレ止め防止器具
２Ａ
生ゴミ収納器本体への取り付け面
２Ｂ
水切りゴミ袋の穴に合わせ込む部分
３
水切りゴミ袋と形成部材面の接合図
３Ａ生ゴミ
収納器本体に取り付けたズレ止め防止器具に固定する穴
３Ｂ
形成部材面と水切りゴミ袋の接合部の説明図
３Ｃ
撥水効果を高めた形成部材面
Ｄ
‥‥‥‥は切れ込み線
Ｅ
形成部材面を複数に重ねたイメージ図
Ｆ
多目的固定装置の側面図
Ｆ１
ズレ止め防止器具を軸にした回転リング
Ｆ２
調理具ホルダーとしての形成器具イメージ図
Ｆ３
落下防止ガイドとしての形成器具イメージ図
【図１】
0003182873.tif 000003
【図２】
0003182873.tif 000004
【図３】
0003182873.tif 000005
【図４】
0003182873.tif 000006
【図５】
0003182873.tif 000007
【図６】
0003182873.tif 000008
【図７】
0003182873.tif 000009
【手続補正書】
【提出日】平成25年2月20日(2013.2.20)
【手続補正１】
【補正対象書類名】明細書
【補正対象項目名】全文
【補正方法】変更
【補正の内容】
【考案の詳細な説明】
【技術分野】
【０００１】
本発明は各家庭における調理場で、主に使用される生ゴミ収納器内に用いる水切りゴミ袋と生ゴミ収納器に関するものである。
（水切り収納器、ゴミ収納器、収納器は、すべて生ゴミ収納器に訂正統一いたしました。）
【背景技術】
【０００２】
先行技術調査を行った結果、特開平０９−００２６０２、特開２００５−２１３０２３、特開平１０−０３５８０３、実開昭５８−１８７５０３、いずれも参考との結果であった。従来、生ゴミ収納器に溜まったゴミの上を有効利用する様な水切りゴミ袋は、特許庁の電子図書館から参照しても意外にもなかったと思われる。
【先行技術文献】
【特許文献】
【０００３】
【特許文献１】特開平９−００２６０２号、１０−０３５８０３、特開２００５−２１３０２３実開昭５８−１８７５０７
【非特許文献】
【０００４】
なし
【考案の概要】
【考案が解決しようとする課題】
【０００５】
本発明の目的は、家庭における調理場の清潔感の向上となおかつせまい調理場スペースを有効に使用するために役立つ水きりゴミ袋と生ゴミ収納器を提供する事である。
【課題を解決するための手段】
【０００６】
本発明は、各家庭における調理場に使用される生ゴミ収納器の設置に損失しているスペースを水切りゴミ袋の片側の面に特殊加工を施した水切りシートを接合し即ちカバー兼調理具の置き場となる面を折り返して土台がわりに生ゴミの入った生ゴミ収納器内部（上部）の有効利用できるスペースを形成するものである。（仮設スペース形成部材シート３Ｃ単体で使う水切りゴミ袋との非接合での利用を含む）
【考案の効果】
【０００７】
以外にも調理中に油や調理汁などがついた調理具を置く場所にとまどう事が少なくなかったかと思われる問題点の解決。
限られた調理場（流し）スペースの中で生ゴミ収納器に１０％〜２０％損失していた面積を回収し、生ゴミの多く出る人数の多い家庭などでは、大型の生ゴミ収納器を使う事も可能になる。
更に生ゴミ収納器の生ゴミが外から見えづらく清潔感の向上、また生ゴミを資源としての認識を促しエコ社会への貢献につながる可能性を多分に秘めている事。
【図面の簡単な説明】
【０００８】
【図１】仮設スペース形成部材シートと水切り袋の接合の説明図
【図２】生ゴミ収納器に袋をセットした正面図
【図３】ズレ止め防止器具に袋をセットした側面図
【図４】水切りゴミ袋用ズレ止め防止器具の形状をあらわしたもの
【図５】ズレ止め防止器具に仮設スペース形成器具部を複合した多目的固定装置（ズレ止め防止器具を軸に回転スライドし複数のガイド等が選べる。）
【図６】水切りゴミ袋のカバー部を複数に重ねた側面図
【図７】多目的固定装置のガイド部をセットアップした側面図
【考案を実施するための形態】
【０００９】
以下本発明について詳細を説明する。
本発明は一般的に使用されている水切りゴミ袋をベースに改良を加えたものと、生ゴミ収納器本体に取り付けるズレ止め防止器具と仮設スペース形成器具を一体させた固定用装置、又は製造加工時に生ゴミ収納器に固定装置及び、調理具ホルダー等が取り付けられたものとから構成されている。
【００１０】
水切りゴミ袋はポリエスチル、紙パルプフィルター、塩化ビニールなど多数の材質で造られており、この発明において材質には限定はない事とする。
【００１１】
本発明、調理場を広く使える水切りゴミ袋及び生ゴミ収納器は、今まで使用されてきた水切りゴミ袋の対称に合わせた面の片側に、目的にあわせた加工を施した水切りシートを形成部材として水切りゴミ袋に接合したものを用いるが、原出願の特願２０１０−２５９３１６記載の請求項１、４項より水切りゴミ袋に接合前の仮設スペース成形部材シート（３Ｃ）単体を用いてもよい。
【００１２】
また、生ゴミ収納器本体に取り付けた固定装置（ズレ止め防止器具図２−２又は図５−２）とは、袋の素材がとても柔らかいものが多いことから必要になるものである。
【００１３】
水切りゴミ袋の長く延長されている形成部材（即ちカバー兼用の調理具置き場となる面）の折り返す部分を固定することによって、カバー作業を保護し利便性を向上させるものである。
【００１４】
さらにカバーされた生ゴミ収納器の上部を、調理中の油や食材汁などがついたサエバシ、包丁などの調理具を仮置するなどのスペースとして有効利用できるものにかえてしまうものである。
【００１５】
また、生ゴミ収納器に調理具を仮置きの際に調理具についている汚れを洗い流したりするためにカバー面に穴をあけたり、抗菌処理をほどこしたり、堆肥化を促進したり、エネルギー変換を促進できる加工面など必要に応じたものに合わせられるようカバーの表面加工はいろいろな処理によって必要性を高められる水切りゴミ袋である。
【００１６】
また、（図６のＥ）のようにカバー面を複数重ねて調理段階でゴミが出たらそのつど新しい面を供給する構造も選べるとする。
【００１７】
次に水切りゴミ袋を生ゴミ収納器に入れ、溜まった生ゴミにカバーをする際、折り目の部分を固定するためのズレ止め防止器具について説明する。このズレ止め防止器具（図４−２又は図５）を各家庭で現在使用しているもの、また市販されている生ゴミ収納器にワンタッチ、又は簡単に取り付けられる方法を用いて、生ゴミ収納器本体上部に取り付ける（図２−２参照）
【００１８】
ズレ止め器具（図４−２Ｂ）部は、水切りゴミ袋の固定用の穴に合わせ入れ込まれる部分であるが、固定方法の詳細として水切りゴミ袋（図１−３Ａ）の固定用の穴の径よりも、ズレ止め防止器具の突起部の最大径が大きいものとして、突起部形状、寸法など限定のないものである。
【００１９】
それから、この水切りゴミ袋用ズレ止め器具及び調理具の落下防止器具や調理具ホルダーが、生ゴミ収納器本体の製造加工段階で取り付けられた製品に関しても発明の一部とする。
【００２０】
以上の様な方法と形状をしている水切りゴミ袋の使用手順に入る。
【００２１】
本発明の使用手順として、まず使用される生ゴミ収納器本体へ水切りゴミ袋用ズレ止め器具（図４−２又は図５）を付ける。
そして従来の水切りゴミ袋同様に広げて生ゴミ収納器の中に入れる。
水切りゴミ袋の折り返す部分付近にあけてある穴（図１−３Ａの中で（高さ、深さ）寸法の合う穴を選び、ズレ止め器具の突起部分に合わせ込む。（図２−２参照）
仮設スペース形成部材となるシート（３Ｃ）は、生ゴミ収納器の上部で折り返し下に垂らし｛垂らした下はデザイン等から特定は出来ないが今回のズレ止め器具を流用するなどして簡単に固定した方が好ましいと思われる。又、生ゴミ収納器本体に溝を入れて垂らした水切りゴミ袋の下部を入れ込むなどいろいろな方法が想定できる。｝
【００２２】
多目的固定装置を（図５）を使用する場合、袋を入れる前に使用するガイド等を予めセットアップしておき袋をセットするもので、形成部材面にガイド部のにがし穴が必要とされる。
【００２３】
この多目的固定装置は（図４−２）を軸にリング外周部に複数の調理具ホルダーや落下防止ガイド等を取り付けスライド機構から都度選び、生ゴミの上を利用するための形成器具としたものであり、袋の固定と併用できるものである。
【００２４】
ズレ止め防止器具（図４−２）を使用する場合は、請求項５によって有効利用スペースが形成されるため、生ゴミ収納器上部に落下防止や調理具ホルダーの目的とした加工の施された、収納器を用いなくてはならないものである。
【００２５】
寸法の短い面は従来どうり生ゴミ収納器上部にくくりつけ準備が完了となる。生ゴミが溜まったらカバーをめくり上げ生ゴミの上にかける。
かけた後はその上部スペースに汚れた調理具などの置き場として、またその上で洗浄できるカバー面などにしたりすることで利用目的が増えるとも思われる。
【産業上の利用可能性】
【００２６】
利用効果が従来よりも２項目向上した点に、注目したいと思う。
【００２７】
意外にも調理中に油や調理汁などがついた調理具を置く場所にとまどう事が少なくなかったかと思われる問題点の解決。
限られた調理場（流し）スペースの中で生ゴミ収納器に１０％〜２０％損失していた面積を回収し、生ゴミの多く出る人数の多い家庭などでは、大型の生ゴミ収納器を使う事も可能になる。
更に生ゴミ収納器の生ゴミが外から見づらく清潔感の向上、また生ゴミを資源としての認識を促しエコ社会への貢献につながる可能性を多分に秘めている事。
【符号の説明】
【００２８】
１
生ゴミ収納器本体
２
水切りゴミ袋用ズレ止め防止器具
２Ａ
生ゴミ収納器本体への取り付け面
２Ｂ
水切りゴミ袋の穴に合わせ込む部分
３
水切りゴミ袋と仮設スペース形成部材シートの接合総体図
３Ａ生ゴミ収納器本体に取り付けたズレ止め防止器具に固定する穴
３Ｂ仮設スペース
形成部材シートと水切りゴミ袋の接合部の説明図
３Ｃ
撥水効果を高めた仮設スペース形成部材シート
Ｄ
‥‥‥‥は切れ込み線
Ｅ仮設スペース
形成部材シートを複数に重ねたイメージ図
Ｆ
多目的固定装置の側面図
Ｆ１
ズレ止め防止器具を軸にした回転リング
Ｆ２
調理具ホルダーとしての形成器具イメージ図
Ｆ３
落下防止ガイドとしての形成器具イメージ図
【手続補正２】
【補正対象書類名】実用新案登録請求の範囲
【補正対象項目名】全文
【補正方法】変更
【補正の内容】
【実用新案登録請求の範囲】
【請求項１】
調理場の水切りゴミ袋を備える事ができる生ゴミ収納器において、水切りゴミ袋を入れる生ゴミ収納器の開口部をカバーできるほどの大きさを有し、撥水性を高める加工を施し生ゴミ収納器に溜まった生ゴミを隠すカバーとして、またカバーされた生ゴミの上を汚れた調理具の仮置きや汚れた調理具の簡単な洗浄の場所に利用する目的とした仮設スペース形成部材シート（３Ｃ）を有する水切りゴミ袋を備える事ができる生ゴミ収納器。
【請求項２】
前記仮設スペース形成部材シートを有する水切りゴミ袋を備える事ができる生ゴミ収納器において、仮設スペース成形部材シートの上に仮置きされた汚れた調理具の落下防止ガイドを目的とした生ゴミ収納器本体に後付できる調理具ホルダーまたはガイドを有する事を特徴とする請求項１に記載の水切りゴミ袋を備える事ができる生ゴミ収納器。